(57)【特許請求の範囲】
【請求項１】
スルーホールが形成された第１回路基板と、
スルーホールが形成された第２回路基板と、
前記第１回路基板および前記第２回路基板を保持する保持部材と、
２つの端部が、前記第１回路基板のスルーホールおよび前記第２回路基板のスルーホールにそれぞれ接続される端子金具、前記端子金具の２つの端部を一方の面および他方の面からそれぞれ突出させた状態で保持する台座部、ならびに、前記台座部から連なり前記保持部材に取り付けられる取付部を有する連結コネクタと、を備え、
前記保持部材には、前記連結コネクタの前記取付部を取り付けることにより、前記端子金具の一端部を前記第１回路基板のスルーホールに挿通させた状態で、前記連結コネクタを位置決め固定する位置決め部が設けられていることを特徴とする回路構成体。
【請求項２】
前記保持部材には、前記第２回路基板を取り付ける取付突部が設けられる一方、前記第２回路基板には前記取付突部に挿通される取付孔が設けられ、
前記第２回路基板の前記取付孔を、前記連結コネクタが取り付けられた前記保持部材の前記取付突部に挿通させることにより、前記連結コネクタは、前記端子金具の他端部が前記第２回路基板のスルーホールに挿通された状態で前記保持部材に位置決めされることを特徴とする請求項１に記載の回路構成体。
【請求項３】
前記連結コネクタの前記取付部および前記保持部材の前記位置決め部の少なくとも一方には、前記連結コネクタを前記保持部材に取り付ける取付方向に対して傾斜する傾斜面が形成されていることを特徴とする請求項１または請求項２に記載の回路構成体。
【請求項４】
前記連結コネクタの前記取付部には前記取付方向に対して傾斜する第１傾斜面が形成され、
前記保持部材の前記位置決め部には、前記第１傾斜面とは前記取付方向に対して傾斜する角度が相違する第２傾斜面が形成されていることを特徴とする請求項３に記載の回路構成体。
【請求項５】
請求項１ないし請求項４のいずれか一項に記載の回路構成体をケースに収容してなる電気接続箱。
【発明の詳細な説明】
【技術分野】
【０００１】
本発明は、回路構成体および電気接続箱に関する。
【背景技術】
【０００２】
従来より車両に搭載されて車載電装品の通断電の制御をする電気接続箱としては特許文献１に記載のものなどが知られている。この特許文献１に記載の電気接続箱は、２枚の回路基板を備えており、これらの回路基板は、中継コネクタ（以下、「連結コネクタ」という）に取り付けられた端子金具の接続により電気的に接続されるようになっている。
【先行技術文献】
【特許文献】
【０００３】
【特許文献１】特開２００８−１４１９３０号公報
【発明の概要】
【発明が解決しようとする課題】
【０００４】
特許文献１に記載されているような構成の連結コネクタにより回路基板を接続する際には、回路基板を、それぞれのスルーホールが対応する端子金具の上に配されるように位置決めしてから接続する必要がある。
【０００５】
そのため、上記のような構成の連結コネクタを用いて精度よく回路基板の接続を行うには、連結コネクタの端子金具が接続される基板のスルーホールの孔径を大きくしたり、スルーホール間の間隔（ピッチ）を大きくする必要がある。しかしながら、スルーホールの孔径やピッチを大きくすると基板が大型化するうえに、連結コネクタに取り付けられた際に基板がガタつきやすくなるという問題がある。
【０００６】
本発明は上記のような事情に基づいて完成されたものであって、精度よく回路基板を接続することができる回路構成体および電気接続箱を提供することを目的とする。
【課題を解決するための手段】
【０００７】
上記課題を解決するものとして本発明は、スルーホールが形成された第１回路基板と、スルーホールが形成された第２回路基板と、前記第１回路基板および前記第２回路基板を保持する保持部材と、２つの端部が、前記第１回路基板のスルーホールおよび前記第２回路基板のスルーホールにそれぞれ接続される端子金具、前記端子金具の２つの端部を一方の面および他方の面からそれぞれ突出させた状態で保持する台座部、ならびに、前記台座部から連なり前記保持部材に取り付けられる取付部を有する連結コネクタと、を備え、前記保持部材には、前記連結コネクタの前記取付部を取り付けることにより、前記端子金具の一端部を前記第１回路基板のスルーホールに挿通させた状態で、前記連結コネクタを位置決め固定する位置決め部が設けられていることを特徴とする回路構成体である。
また本発明は、前記回路構成体を収容してなる電気接続箱である。
【０００８】
本発明においては、たとえば以下のような手順で回路構成体を組み立てる。第１回路基板を保持部材に取り付けた後、連結コネクタの取付部を保持部材の位置決め部に配置して連結コネクタを保持部材に取りつける。すると、本発明においては、連結コネクタの取付部を保持部材の位置決め部に取り付けることにより、連結コネクタの端子金具の一端部を第１回路基板のスルーホールに挿通させた状態で連結コネクタを保持部材に位置決め固定することができる。次に、第２回路基板のスルーホールを連結コネクタの端子金具の他端部に挿通させて連結コネクタに接続し保持部材に固定すると、回路構成体の組み立てが完了する。その結果、本発明によれば、回路基板を精度よく接続することができる。
【０００９】
本発明は以下の構成としてもよい。
前記保持部材には、前記第２回路基板を取り付ける取付突部が設けられる一方、前記第２回路基板には前記取付突部に挿通される取付孔が設けられ、前記第２回路基板の前記取付孔を、前記連結コネクタが取り付けられた前記保持部材の前記取付突部に挿通させることにより、前記連結コネクタは、前記端子金具の他端部が前記第２回路基板のスルーホールに挿通された状態で前記保持部材に位置決めされる構成であってもよい。
このような構成とすると、第２回路基板も連結コネクタに精度よく接続することができる。
【００１０】
前記連結コネクタの前記取付部および前記保持部材の前記位置決め部の少なくとも一方には、前記連結コネクタを前記保持部材に取り付ける取付方向に対して傾斜する傾斜面が形成されていてもよい。
このような構成とすると、連結コネクタの取付部を保持部材の位置決め部に取り付ける際に傾斜面に案内されるので取付作業を円滑に行うことができる。
【００１１】
前記連結コネクタの前記取付部には前記取付方向に対して傾斜する第１傾斜面が形成され、前記保持部材の前記位置決め部には、前記第１傾斜面とは前記取付方向に対して傾斜する角度が相違する第２傾斜面が形成されていてもよい。
第１傾斜面の傾斜角度と第２傾斜面の傾斜角度が同じ場合には、第１傾斜面と第２傾斜面とが面当たりするため、位置決め位置に至る前に止まってしまい、連結コネクタが保持部材に対して傾いた状態で取り付けられることが懸念される。しかしながら上記のような構成とすると、第１傾斜面と第２傾斜面とが面当たりしないので、連結コネクタが保持部材に対して正しい姿勢で位置決めされる。
【発明の効果】
【００１２】
本発明によれば、精度よく回路基板を接続することができる回路構成体および電気接続箱を提供することができる。
【図面の簡単な説明】
【００１３】
【図１】実施形態１の電気接続箱
【図２】斜め前方から見た分解状態の回路構成体の一部斜視図
【図３】図２と同じ角度から見た連結コネクタの斜視図
【図４】図２とは反対側（斜め後方）から見た分解状態の回路構成体の一部斜視図
【図５】図４と同じ角度から見た連結コネクタの斜視図
【図６】連結コネクタの側面図
【図７】図４と同じ角度から見た回路基板の組み立て方法を説明する一部斜視図
【図８】保持部材に位置決めされた状態の連結コネクタの一部断面図（図７のＡ−Ａ線における一部断面図）
【図９】保持部材に位置決めされる前の状態の連結コネクタの一部断面図
【発明を実施するための形態】
【００１４】
＜実施形態１＞
本発明の実施形態１を図１ないし図９によって説明する。
本実施形態の電気接続箱１０は車載バッテリーなどの電源と各電子装置などの負荷との間に配されて、各電子装置への電源供給の制御を行う電力分配器として用いられるものである。
以下の説明において、図１の下側、図２の右下側、ならびに、図４および図７の左上側を前方とし、図１の上側、図２の左上側、図４および図７の右下側を後方とする。
【００１５】
本実施形態の電気接続箱１０は、図１に示すように、ケース１１と、ケース１１内に収容される回路構成体１５と、を備える。
ケース１１は上面視において幅広な長方形状をなしており、詳細は図示しないが、手前側の開口部１２から回路構成体１５が挿入可能となっている。ケース１１の上壁の前端部には、回路構成体１５を構成するコネクタハウジング２３の前端部を係止するための係止部１３が形成されている。係止部１３は、ケース１１の前端から後方に向けて形成された２つの係止溝１３Ａ，１３Ａと、この２つの係止溝１３Ａ，１３Ａの間に形成された略方形状の係止孔１３Ｂとからなる。係止溝１３Ａ，１３Ａにはコネクタハウジング２３の係止片２１，２１がはめ込み可能とされ、係止孔１３Ｂにはコネクタハウジング２３の係止凸部２２が係止可能とされる。
【００１６】
回路構成体１５は、２枚の回路基板４０，５０と、２枚の回路基板４０，５０を保持する保持部材２０と、を備える。保持部材２０は、図示しない相手のコネクタハウジングと嵌合可能なコネクタハウジング２３とフレーム状のフレーム部２６とからなり、図２に示すように、コネクタハウジング２３の奥側（後方）にフレーム部２６が連なって一体となっている。
【００１７】
コネクタハウジング２３の前端部には、図１および図２に示すように、ケース１１に形成された係止溝１３Ａ，１３Ａにはめ込まれる２つの係止片２１，２１と、２つの係止片２１，２１の間に形成され係止孔１３Ｂに係止される背面視台形状の係止凸部２２と、が設けられている。
【００１８】
コネクタハウジング２３は前方に開口し、相手のコネクタハウジングを嵌入可能な嵌合凹部２４を備える。嵌合凹部２４の、相手のコネクタハウジングの嵌合方向前方（図２における左上方向）には、奥壁２５が形成されている。この奥壁２５には、複数の端子金具３２が貫通して配されている。
【００１９】
端子金具３２は金属板材を所定の形状にプレス加工することにより形成され、嵌合凹部２４の奥壁２５にインサート成形により一体化されている。また、端子金具３２は、嵌合凹部２４の奥壁２５を貫通して、回路基板４０，５０側に向けて直角に曲げ加工され、各回路基板４０，５０のスルーホール４１，５１を貫通している。端子金具３２の回路基板４０，５０側の端部は、回路基板４０の第３スルーホール、回路基板５０の第４スルーホール５１Ｂに、半田付けにより電気的に接続されている。回路基板４０，５０の詳細については後述する。
【００２０】
嵌合凹部２４の奥壁２５の後方（コネクタハウジング２３の奥側）に連なるフレーム部２６には、各回路基板４０，５０の周縁が載せられるようになっている。フレーム部２６の４つの角部および後側の略中央部には各回路基板４０，５０を固定するネジ孔２７が形成されている（図２を参照）。
【００２１】
フレーム部２６の前側（コネクタハウジング２３側）には、図２に示すように、嵌合凹部２４の奥壁２５の外面から突出形成された板状の位置決め突部２８（第１の位置決め突部２８という）が設けられている。第１の位置決め突部２８は、ネジ孔２７と隣接する位置にそれぞれ１つずつ設けられている。
【００２２】
フレーム部２６の上部後側の角部には、ネジ孔２７と隣接して、上面視円形の位置決め突部２９（本発明の「取付突部」の一例、以下「第２の位置決め突部２９」ともいう）が設けられている。この第２の位置決め突部２９はフレーム部２６の上部のみに設けられている。フレーム部２６の後側の角部には、ネジ孔２７に隣接して板状の位置決め突部３０（第３の位置決め突部３０という）がそれぞれ１つずつ設けられている。また、フレーム部２６の後側の略中央にはネジ孔２７に隣接した位置に上面視方形状の位置決め突部３１（第４の位置決め突部３１という）が１つ設けられている。第３の位置決め突部３０と第４の位置決め突部３１はフレーム部２６の上部および下部の双方に設けられている。
【００２３】
フレーム部２６の前側に設けた第１の位置決め突部２８と、フレーム部２６の後側に設けた位置決め突部（第２の位置決め突部２９、第３の位置決め突部３０、および第４の位置決め突部３１）とは、対応しない位置に設けられており、各回路基板４０，５０の誤組み付けを防止できるようになっている。
【００２４】
さて、フレーム部２６の後側の第３の位置決め突部３０と隣接する位置および、フレーム部２６の略中央に前後方向に伸びてフレーム部２６を仕切る仕切り壁２６Ａと隣接する位置には、図２および図４に示すように、連結コネクタ６０を位置決め固定する位置決め部３３（本発明の位置決め部の一例）が設けられている。位置決め部３３は、第３の位置決め突部３０の下端部および仕切壁２６Ａの下端部から内方に突出形成され、側面視台形状をなしている。位置決め部３３の上下面は扁平状であるが図８および図９における左右の面は上方に行くに従い近づく傾斜面３４，３４となっている（第２傾斜面３４の一例）。なお、図８に示すＸは、保持部材２０の取付方向（図示Ｐ−Ｐ線で示す方向）に対する傾斜面３４の傾斜角度である。
【００２５】
フレーム部２６に保持され固定される２枚の回路基板４０，５０は、嵌合凹部２４の奥壁２５に対して略垂直となるように配置されている。以下の説明において、図２、図４および図７に示す下側に配される回路基板４０を第１回路基板４０とし、上側に配される回路基板５０を第２回路基板５０とする。２枚の回路基板を総括して説明するときは「各回路基板４０，５０」あるいは「回路基板４０，５０」とする。
【００２６】
各回路基板４０，５０は、図２および図７に示すように、概ね矩形状をなしている。各回路基板４０，５０には、プリント配線技術により表面に所定の導電路（図示せず）が形成されており、この導電路には図示しない電子部品が実装されている。
【００２７】
また、各回路基板４０，５０には、回路基板４０，５０を貫通する貫通孔を形成した後に、この貫通孔の内壁面に銅めっきを施すことによって形成されたスルーホール４１，５１が多数形成されている。各回路基板４０，５０のスルーホール４１，５１は、嵌合凹部２４から導出された端子金具３２および、後述する連結コネクタ６０の端子金具６１が挿通され接続される（図７を参照）。ここで第１回路基板４０のスルーホール４１のうち、後方に形成され連結コネクタ６０の端子金具６１に接続されるスルーホール４１Ａを第１スルーホール４１Ａとし、前方に形成され、嵌合凹部２４から導出された端子金具３２に接続されるスルーホールを第３スルーホール（図示せず）する。また、第２回路基板５０のスルーホール５１のうち、後方に形成され連結コネクタ６０の端子金具６１に接続されるスルーホール５１Ａを第２スルーホール５１Ａとし、前方に形成され、嵌合凹部２４から導出された端子金具３２に接続されるスルーホール５１Ｂを第４のスルーホール５１Ｂとする。
【００２８】
各回路基板４０，５０には、図２に示すように、フレーム部２６に重ねた際にフレーム部２６の各ネジ孔２７と対応する位置にネジ部材（図示せず）を螺合可能な螺合孔４３，５３が形成されている。また、各回路基板４０，５０には、フレーム部２６の第１の位置決め突部２８がはまり込む第１の位置決め溝５４が形成され、フレーム部２６の第３の位置決め突部３０がはまり込む第２の位置決め溝５６が形成され、フレーム部２６の第４の位置決め突部３１がはまり込む第３の位置決め溝５７が形成されている（図２および図４を参照）。
【００２９】
第２回路基板５０の後端側には、フレーム部２６の第２の位置決め突部２９がはまり込む位置決め孔５５（本発明の「取付孔」の一例）が形成されているが、第１回路基板４０には位置決め孔５５は形成されていない（図２および図４を参照）。
【００３０】
第１回路基板４０および第２回路基板５０を接続する連結コネクタ６０について説明する。連結コネクタ６０は、図３、図５および図６に示すように、複数の端子金具６１と、端子金具６１の２つの端部を上下面からそれぞれ突出させた状態で保持する台座部６２と、台座部６２から端子金具６１の突出方向とおおむね平行に連なる側壁部６３と、を有する。
【００３１】
端子金具６１は金属板材を所定の形状にプレス加工することにより形成され、インサート成形により台座部６２に一体化されている。連結コネクタ６０において、端子金具６１は、図３および図５に示すように、台座部６２を貫通し、その上端部と下端部が、それぞれ台座部６２の上面と下面から突出している。端子金具６１は台座部６２の図３および図５における下面側で２回折り曲げられた状態で台座部６２に保持されている。
【００３２】
本実施形態において、連結コネクタ６０の台座部６２の長手方向（端子の並列方向）における端部から下方に連なる側壁部６３には、台形状に凹んだ凹み部６４が設けられている。この凹み部６４が保持部材２０の位置決め部３３に取り付けられる取付部６４である。取付部６４は、図６に示すように、側面視台形状をなしており、取付部６４の図６における左右の面６５，６５は上方に近づくに従い近づく傾斜面６５，６５となっている（第１傾斜面６５の一例）。なお、図８中のＹは、保持部材２０の取付方向（Ｑ−Ｑ線に示す方向）に対する傾斜面６５の傾斜角度である。本実施形態では第１傾斜面６５の傾斜角度Ｙは第２傾斜面３４の傾斜角度Ｘよりも大きく設定されている。
【００３３】
連結コネクタ６０の端子金具６１は、下端部が第１回路基板４０に形成された第１スルーホール４１Ａに半田付けにより電気的に接続され、上端部が第２回路基板５０に形成された第２スルーホール５１Ａに半田付けにより電気的に接続されている。
【００３４】
次に、本実施形態の回路構成体１５の組み立て方法について説明する。
まず、保持部材２０に第１回路基板４０を取り付ける。保持部材２０（嵌合凹部２４）の端子金具３２を第１回路基板４０の第３スルーホールに挿通させ、第１回路基板４０を保持部材２０の所定位置に配置し、ネジ止めにより保持部材２０に固定する。本実施形態において、第１回路基板４０には保持部材２０の第１の位置決め突部２８、第３の位置決め突部３０および第４の位置決め突部３１をはめ込み可能な第１の位置決め溝５４、第２の位置決め溝５６、第３の位置決め溝５７がそれぞれ形成されているので、容易に位置決めすることができる。また、本実施形態では、フレーム部２６の下部においては、前側に設けた第１の位置決め突部２８と、後側に設けた位置決め突部（第３の位置決め突部３０および第４の位置決め突部３１）とは、対応しない位置に設けられているので、第１回路基板４０の組み付けの際に前後を間違えることなく組み付けることが可能である。なお、第２回路基板５０には保持部材２０の第２の位置決め突部２９（取付突部２９）に対応する位置決め孔５５が設けられているが第１回路基板４０に位置決め孔５５は設けられていないので、第１回路基板４０と第２回路基板５０とを容易に判別することができる。
【００３５】
次に、連結コネクタ６０の取付部６４を保持部材２０の位置決め部３３に取り付ける。図９に示すように、連結コネクタ６０の取付部６４を保持部材２０の位置決め部３３に差し込むと、取付部６４の第１傾斜面６５が位置決め部３３の第２傾斜面３４に案内される。取付部６４を下方に移動させて、取付部６４の第１傾斜面６５と位置決め部３３の第２傾斜面３４の下端の角部とが当接すると、連結コネクタ６０は、端子金具６１の下端部を第１回路基板４０の第１スルーホールに挿通させた状態で保持部材２０に対して位置決めされる。
【００３６】
ここで、本実施形態では、連結コネクタ６０の取付部６４に形成された第１傾斜面６５と、保持部材２０の位置決め部３３に形成された第２傾斜面３４とは傾斜角度が相違するから、第１傾斜面６５と第２傾斜面３４とは取り付け工程中に面当たりせず、連結コネクタ６０が保持部材２０に対して正しい姿勢で位置決めされる。連結コネクタ６０の保持部材２０への取り付けが完了した後、各端子金具３２，６１の端部と第１回路基板４０のスルーホール４１Ａ，４１Ｂとを半田付けにより接続する
【００３７】
次に、第２回路基板５０の第４スルーホール５１Ｂを保持部材２０（嵌合凹部２４）の端子金具３２に挿通させて、第２回路基板５０を保持部材２０の所定位置に配しネジ止めにより保持部材２０に固定する。本実施形態において、第２回路基板５０には保持部材２０の第１の位置決め突部２８、第３の位置決め突部３０および第４の位置決め突部３１をはめ込み可能な第１の位置決め溝５４、第２の位置決め溝５６、第３の位置決め溝５７が形成されているので、第２回路基板５０を保持部材２０に容易に位置決めすることができる。また、本実施形態では、フレーム部２６の上部において、前側に設けた第１の位置決め突部２８と、後側に設けた位置決め突部（第２の位置決め突部２９、第３の位置決め突部３０および第４の位置決め突部３１）とは、対応しない位置に設けられているので、第２回路基板５０の組み付けの際にも前後を間違えることがない。
【００３８】
さらに、第２回路基板５０には、第１の位置決め溝５４、第２の位置決め溝５６、および第３の位置決め溝５７に加えて、保持部材２０の第２位置決め突部２９に挿通させて位置決めする位置決め孔５５が形成されている。この第２回路基板５０の位置決め孔５５を保持部材２０の第２位置決め突部２９に挿通させると、連結コネクタ６０の端子金具６１の上端部が第２回路基板５０の第２スルーホール５１Ａに挿通された状態で保持部材２０に対し位置決めされるので、第２回路基板５０の連結コネクタ６０に対する位置決めも容易に行うことができる。以上のようにして位置決めされた第２回路基板５０をネジ止めすることにより保持部材２０に固定する。
【００３９】
次に、各端子金具３２，６１の端部と第２回路基板５０のスルーホール５１Ａ，５１Ｂとを半田付けにより接続すると、回路構成体１５が得られる。そして、このようにして作製した回路構成体１５をケース１１に収容することにより電気接続箱１０が得られる。
【００４０】
次に、本実施形態の作用、効果について説明する。
本実施形態によれば、連結コネクタ６０の取付部６４を保持部材２０の位置決め部３３に取り付けるだけで、連結コネクタ６０の端子金具６１の下端部が第１回路基板４０の第１スルーホール４１Ａに挿通された状態で保持部材２０に位置決め固定されるので、第１回路基板４０を精度よく接続することができる。
【００４１】
特に本実施形態においては、保持部材２０には、第２回路基板５０を取り付ける第２の位置決め突部２９（取付突部２９）が設けられる一方、第２回路基板５０には第２の位置決め突部２９に挿通される位置決め孔５５が設けられている。したがって本実施形態によれば、第２回路基板５０の位置決め孔５５を、連結コネクタ６０を取り付けた保持部材２０の第２の位置決め突部２９に挿通させることにより、連結コネクタ６０は、端子金具６１の上端部が第２回路基板５０のスルーホール５１Ａに挿通された状態で保持部材２０に位置決めされるから、第２回路基板５０についても連結コネクタ６０に精度よく接続することができる。
【００４２】
また、本実施形態によれば、連結コネクタ６０の取付部６４および保持部材２０の位置決め部３３の双方に、連結コネクタ６０を保持部材２０に取り付ける取付方向に対して傾斜する傾斜面３４，６５が形成されているから、連結コネクタ６０の取付部６４を保持部材２０の位置決め部３３に取り付ける際に取付部６４の第１傾斜面６５は位置決め部３３の第２傾斜面３４により案内されるので、取り付け作業を円滑に行うことができる。
【００４３】
さらに本実施形態によれば、連結コネクタ６０の取付部６４に形成された第１傾斜面６５の傾斜角度と、保持部材２０の位置決め部３３に形成された第２傾斜面３４の傾斜角度が相違するから、第１傾斜面６５と第２傾斜面３４とが面当たりしないので、連結コネクタ６０が保持部材２０に対して正しい姿勢で位置決めされる。
【００４４】
＜他の実施形態＞
本発明は上記記述及び図面によって説明した実施形態に限定されるものではなく、例えば次のような実施形態も本発明の技術的範囲に含まれる。
（１）上記実施形態では２枚の回路基板を備えるものを示したが、回路基板は３枚以上であってもよい。
【００４５】
（２）上記実施形態では、保持部材に第２回路基板を取り付ける取付突部を設ける一方で、第２回路基板に取付孔を設ける構成のものを示したが保持部材に取付孔を設け、第２回路基板に取付突部を設けてもよいし、これらの部材を設けないものであってもよい。
【００４６】
（３）上記実施形態では、フレーム部がコネクタハウジングの嵌合凹部の奥壁側に連設されているものを示したが、フレーム部とコネクタハウジングとは、別体であってもよい。
【００４７】
（４）上記実施形態では、第１傾斜面が形成された取付部および第２傾斜面が形成された位置決め部を示したが、いずれか一方のみに傾斜面が形成されていてもよいし、傾斜面が形成されていない取付部および位置決め部を備えるものであってもよい。例えば位置決め部および取り付け部の断面方形状の位置決め部や取付部を備えるものなどであってもよい。
【００４８】
（５）上記実施形態では第２傾斜面の傾斜角度が第１傾斜面の傾斜角度よりも大きく設定された構成を示したが、傾斜角度は同じであってもよいし、第１傾斜面の傾斜角度が第２傾斜面の傾斜角度よりも大きく設定されていてもよい。
【００４９】
（６）上記実施形態では、複数の位置決め突部を備える保持部材を示したが、位置決め突部を備えないものや、位置決め突部を１か所のみに設けたものであってもよい。
【００５０】
（７）上記実施形態では、保持部材の前側と後側で対応しない位置に位置決め部を設けて誤組み付けを防止したものを示したが、位置決め部を前後で対応する位置（対称な位置）に設けたものであってもよい。
【符号の説明】
【００５１】
１０…電気接続箱
１１…ケース
１５…回路構成体
２０…保持部材
２６…フレーム部
２６Ａ…仕切壁
２９…第２の位置決め突部（取付突部）
３３…位置決め部
３４…第２傾斜面
４０…第１回路基板
４１…スルーホール
４１Ａ…第１スルーホール
５０…第２回路基板
５１…スルーホール
５１Ａ…第２スルーホール
５１Ｂ…第４スルーホール
５５…位置決め孔（取付孔）
６０…連結コネクタ
６１…端子金具
６２…台座部
６３…側壁部
６４…取付部（凹み部）
６５…第１傾斜面
Ｐ−Ｐ線、Ｑ−Ｑ線…連結コネクタを保持部材に取付ける方向
Ｘ…（第２傾斜面の）傾斜角度
Ｙ…（第１傾斜面の）傾斜角度
【図１】
0005459195.tif 000002
【図２】
0005459195.tif 000003
【図３】
0005459195.tif 000004
【図４】
0005459195.tif 000005
【図５】
0005459195.tif 000006
【図６】
0005459195.tif 000007
【図７】
0005459195.tif 000008
【図８】
0005459195.tif 000009
【図９】
0005459195.tif 000010